(57)【特許請求の範囲】
【請求項１】
基地局に対して上りトラフィックを送信するための無線リソースの予約要求信号を送信し、かつ間欠受信状態にあるとき所定の制御信号を前記基地局に周期的に送信する移動通信端末であって、
前記間欠受信状態にあるとき、制御信号を送信するために前記移動通信端末に割り当てられた無線リソースを介して前記所定の制御信号を含む信号を送信する送信部と、
前記上りトラフィックが発生したとき、前記所定の制御信号を前記上りトラフィックに含める信号多重部を備えることを特徴とする移動通信端末。
【請求項２】
請求項１に記載の移動通信端末から予約要求信号を受信する基地局であって、
前記移動通信端末から送信された前記予約要求信号を検出する予約要求信号検出部と、
前記予約要求信号を検出したとき前記上りトラフィックの送信許可信号を前記移動通信端末へ送信する送信部と、
を備えることを特徴とする基地局。
【請求項３】
請求項１に記載の移動通信端末から下り品質情報を受信する基地局であって、
前記移動通信端末から受信した前記下り品質情報を記憶する記憶部と、
前記記憶部に記憶された、直近に受信した前記下り品質情報に応じて、所定の決定方法に従って下りトラフィックの伝送フォーマットを選択する伝送フォーマット選択部と、
を備えることを特徴とする基地局。
【請求項４】
基地局に対して上りトラフィックを送信するための無線リソースの予約要求信号を送信し、かつ間欠受信状態にあるとき所定の制御信号を前記基地局に周期的に送信する移動通信システムであって、
前記間欠受信状態にあるとき、制御信号を送信するために移動通信端末に割り当てられた無線リソースを介して前記移動通信端末から前記基地局へ前記所定の制御信号を含む信号を送信する送信部と、
前記上りトラフィックが発生したとき、前記所定の制御信号を前記上りトラフィックに含める信号多重部と、
を備えることを特徴とする移動通信システム。
【請求項５】
基地局に対して上りトラフィックを送信するための無線リソースの予約要求信号を送信し、かつ間欠受信状態にあるとき所定の制御信号を前記基地局に周期的に送信する通信方法であって、
前記所定の制御信号を送信するために移動通信端末に割り当てられた無線リソースを介して前記移動通信端末から前記基地局へ信号を送信し、
前記間欠受信状態にあるとき、制御信号を送信するために移動通信端末に割り当てられた無線リソースを介して前記移動通信端末から前記基地局へ前記所定の制御信号を含む信号を送信し、
前記上りトラフィックが発生したとき、前記所定の制御信号を前記上りトラフィックに含めることを特徴とする通信方法。
【発明の詳細な説明】
【技術分野】
【０００１】
本発明は、移動通信端末、移動通信システム及び基地局、並びにこれらにより使用される通信方法に関する。詳しくは、移動通信端末が、上りトラフィックの送信に先立って、無線リソースの予約要求信号を基地局に送信するランダムアクセス方式を採用する移動通信システム、並びにこのような移動通信システムに使用される移動通信端末、基地局及び通信方法に関する。
【背景技術】
【０００２】
図１に、３ＧＰＰ（3rd Generation Partnership Project）で標準化されている移動通信システムであるＵＭＴＳ（Universal Mobile Telecommunications System）の構成を示す。無線通信システム１は、ＵＴＲＡＮ（Universal Terrestrial Radio Access Network）と呼ばれる無線アクセスネットワークＮ１と、無線アクセスネットワークＮ１及び公衆電話網Ｎ３を接続し無線交換サービスを提供する回線交換コア・ネットワークＮ２と、無線アクセスネットワークＮ１及びインターネットプロトコル（ＩＰ）ネットワークＮ５を接続しパケット交換サービスを提供するパケット交換コア・ネットワークＮ４から構成されている。
【０００３】
無線アクセスネットワークＮ１は、基地局ＢＳと、これを制御する無線基地局制御装置２（ＲＮＣ：Radio Network Controller）とから構成されており、移動通信端末ＵＥと上記コア・ネットワークＮ２及びＮ４との間で音声やパケットなどのユーザ情報を転送し、またその通信に必要な無線リソースを割り当てる役割を担う。
回線交換コア・ネットワークＮ２は、移動交換局（MSC: Mobile Switching Center）３と、関門移動交換局（GMSC: Gateway Mobile Switching Center）４とから構成されており、回線交換接続によって端末間に通話回線を設ける役割を担う。
【０００４】
パケット交換コア・ネットワークＮ４は、パケット交換ドメインにアクセスしている移動通信端末ＵＥの位置を把握し、後述するパケット・ゲートウェイ・ノード６と無線アクセスネットワークＮ１との間でユーザ・トラフィックの転送を行うパケット・アクセス制御ノード（SGSN: Serving GPRS Support Node）５と、移動通信端末ＵＥからの接続要求に従って、移動通信システム１と外部ＩＰネットワークＮ５との接続を制御するパケット・ゲートウェイ・ノード（GGSN: Gateway GPRS Support Node）６とから構成されており、移動通信端末ＵＥ同士のＩＰ接続や移動通信端末ＵＥと外部ＩＰネットワークとの間のＩＰ接続を行う。
その他、無線通信システム１には、ユーザの加入情報を保持するホーム・ロケーション・レジスタ７（HLR: Home Location Register）や、認証及び秘匿情報の管理並びに認証処理を行う認証センタ（AUC: Authentication Center）８が設けられる。
【先行技術文献】
【非特許文献】
【０００５】
【非特許文献１】３ＧＰＰ  ＴＳ  ２５．８１３ (3rd Generation Partnership Project: Technical Specification Group Radio Access Network ; Evolved Universal Terrestrial Radio Access (E-UTRA) and ; Evolved Universal Terrestrial Radio Access Network (E-UTRAN); Radio interface protocol aspects) V 7.0.0 (2006年6月)
【非特許文献２】３ＧＰＰ  ＴＳ  ２５．８１４ (3rd Generation Partnership Project: Technical Specification Group Radio Access Network Physical layer aspects for Universal Terrestrial Radio Access(UTRA);) V 7.0.0 (2006年6月)
【発明の概要】
【発明が解決しようとする課題】
【０００６】
移動通信端末ＵＥが待機状態から発呼状態に移る場合等の、移動通信端末ＵＥから基地局ＢＳへの上りトラフィック、すなわち上り方向の送信データが存在し、かつそのための上り方向送信チャネルがまだ確立されていない場合には、移動通信端末ＵＥは何らかの手段により上りトラフィックがあることを基地局ＢＳに知らせる必要がある。
【０００７】
上りトラフィックがあることを移動通信端末ＵＥが基地局ＢＳに知らせるために、ランダムアクセス方式が従来から用いられている。この方式では、移動通信端末ＵＥは、基地局ＢＳへ上りトラフィックの送信を行う前に、上りトラフィックの送信に使用するための無線リソースを予約するための予約要求信号を基地局ＢＳに送信する。
図２の（Ａ）及び図２の（Ｂ）は、従来のランダムアクセス方式による上りトラフィックを送信するための無線リソースの予約方法の説明図である。図２の（Ａ）は移動通信端末ＵＥから基地局ＢＳへ送信される上り方向の信号のタイムチャートを示し、図２の（Ｂ）は基地局ＢＳから移動通信端末ＵＥへ送信される下り方向の信号のタイムチャートを示す。
【０００８】
時刻ｔ０において上りトラフィックが発生すると、移動通信端末ＵＥは、時刻ｔ１において、この上りトラフィックを送信するために使用する無線リソースの予約を要求する予約要求信号を基地局ＢＳへ送信する。
基地局ＢＳは、予約要求信号を受信すると、移動通信端末ＵＥに対して上りトラフィックを送信するための無線リソースを割り当る。基地局ＢＳは、例えば移動通信端末ＵＥが上りトラフィックを送信するために使用する送信時間、搬送周波数及び拡散コードなど決定することによって、移動通信端末ＵＥに対して無線リソースを割り当る。
そして、時刻ｔ２において移動通信端末ＵＥに上りトラフィックの送信を許可する送信許可信号を送信する。送信許可信号を受信した移動通信端末ＵＥは、時刻ｔ３において上りトラフィックの送信を開始する。
【０００９】
従来の方式では、移動通信端末ＵＥは、全ての移動通信端末に共通のチャネルを使用して予約要求信号を送信していた。このため複数の移動通信端末が同時期に予約要求信号を送信すると、予約要求信号同士が衝突し基地局ＢＳに受信されない問題があった。この様子を図３の（Ａ）〜図３の（Ｃ）を参照して説明する。図３の（Ａ）及び図３の（Ｂ）は、互いに異なる移動通信端末ＵＥ１及びＵ２から基地局ＢＳへ送信される上り方向の信号のタイムチャートを示し、図３の（Ｃ）は基地局ＢＳから移動通信端末ＵＥ１へ送信される下り方向の信号のタイムチャートを示す。
【００１０】
時刻ｔ１において、複数の移動通信端末ＵＥ１及びＵＥ２が同時に予約要求信号を送信すると、これら予約要求信号同士が互いに衝突するために基地局ＢＳに受信されない。このため移動通信端末ＵＥ１は、本来送信できるはずであった時刻ｔ２において上りトラフィックを基地局ＢＳに送信することができなくなる。その後に移動通信端末ＵＥ１は、時刻ｔ３において予約要求信号を再送信し、時刻ｔ４において送信許可信号を受信することによって上りトラフィックを送信できるようになるが、上りトラフィックの送信時期は時刻ｔ５となり、本来送信できたはずの時刻ｔ２よりも遅延する。
【００１１】
移動通信端末ＵＥから基地局ＢＳへ予約要求信号を送信するために利用できる無線リソースを増やせば、複数の移動通信端末ＵＥからの予約要求信号同士が衝突する確率を減らして、上述のような遅延を低減することができる。しかし、予約要求信号送信用の無線リソースを増加させると、上りトラフィックの送信用に割り当て可能な無線リソースが圧迫され減少するという問題が生じる。その理由を図４を参照して説明する。
【００１２】
図４は、移動通信端末ＵＥから基地局ＢＳへ送信される上り方向の信号に対する無線リソースの配分例を示す図であり、図４に示す例では、移動通信端末ＵＥは、基地局ＢＳへ、下り品質情報（ＣＱＩ）や上りパイロット信号といった制御情報と、予約要求信号と、上りトラフィックを送信し、説明の簡単のため、移動通信端末ＵＥは時分割多重によって、すなわち各信号の送信時刻を異ならしめることによって、これら各信号に無線リソースを割り当てているものとする。
【００１３】
１つの多重化周期内、すなわち時分割多重された１組のデータが送信される送信時間内には、下り品質情報及び上りパイロット信号を送信するための制御情報用領域と、予約要求信号を送信するための予約要求信号用領域と、トラフィックを送信するためのトラフィック用領域が設けられる。
ここで、下り品質情報とは、基地局ＢＳから移動通信端末ＵＥへと信号が伝送される下り方向の回線であるダウンリンクの回線品質を示す情報であり、移動通信端末ＵＥは、共通パイロットチャネルを介して基地局ＢＳから送信される下りパイロット信号を受信しダウンリンク伝搬路の回線品質を測定し、この結果を下り品質情報として基地局ＢＳに送信する。
【００１４】
また、上りパイロット信号とは、基地局ＢＳが、移動通信端末ＵＥから基地局ＢＳへと信号が伝送される上り方向の回線であるアップリンクの回線品質を測定するためパイロット信号である。
これら、下り品質情報及び上りパイロット信号は、各移動通信端末ＵＥから基地局ＢＳへと個別に送信する必要があるため、制御情報用領域の大きさは、基地局ＢＳに同時接続できる移動通信端末ＵＥの数に応じて決定される。図４の例では４つの移動通信端末ＵＥの間で異なるタイミングで下り品質情報及び上りパイロット信号を送信できるように、制御情報用領域の大きさが決定されている。
【００１５】
制御情報用領域の大きさを一定とすると、図４から明らかなとおり、予約要求信号を送信するために利用する無線リソースを増やせば、上りトラフィックの送信用に割り当て可能な無線リソースが圧迫され、減少することが分かる。また、上りトラフィックの送信用に割り当てる無線リソースを増加させれば、予約要求信号を送信するために利用できる無線リソースが減り、複数の移動通信端末からの予約要求信号同士が衝突する確率が高くなることも分かる。
【００１６】
上記問題点に鑑み、本発明は、上りトラフィックの送信に先立って、無線リソースの予約要求信号を基地局に送信するランダムアクセス方式を採用する移動通信システムにおいて、上りトラフィックの送信のために割り当てることができる無線リソースを圧迫することなく、移動通信端末間に生じる予約要求信号同士の衝突を防止することを目的とする。
【課題を解決するための手段】
【００１７】
上記目的を達成するために、本発明では、移動通信端末が所定の待機状態にあるときに、移動通信端末から基地局へと所定の制御情報を送信するために移動通信端末に割り当てられた無線リソースを用いて、予約要求信号を送信する。
予約要求信号を、移動通信端末毎に割り当てられた無線リソースを用いて送信するため、異なる移動通信端末間で予約要求信号が衝突することが無くなる。
また、予約要求信号を送信するための専用の無線リソースを割り当てる必要が無くなるため、上りトラフィックの送信のために割り当てることができる無線リソースを圧迫することもない。
【００１８】
本発明の１つの形態によれば、移動通信端末から基地局への上りトラフィックの送信に先立って、移動通信端末が基地局に対して上りトラフィックを送信するための無線リソースの予約要求信号を送信し、かつ移動通信端末は、所定の待機状態にあるとき所定の制御信号を基地局に間欠的に送信する移動通信システムが提供される。この移動通信システムでは、移動通信端末が所定の制御信号を送信するために移動通信端末に割り当てられた無線リソースを用いて、予約要求信号を送信する。
【００１９】
このような移動通信端末は、例えば、所定の制御信号を送信するために移動通信端末に割り当てられた無線リソースを介して信号を送信する送信部と、上りトラフィックが発生したとき上記割り当てられた無線リソースを介して送信する信号を、所定の制御信号から予約要求信号へと切り替える信号切替部と、を備えるように構成することができる。
また、移動通信端末に、上りトラフィックが発生したとき、所定の制御信号を上りトラフィックに含める信号多重部を設けてもよい。
【００２０】
移動通信端末に割り当てる上記の無線リソースとして、例えば、複数の移動通信端末に共通の上り方向チャネルの無線リソースを送信時期、周波数及び拡散符号の少なくとも１つを変えて複数の移動通信端末に割り当てた上り方向共有制御チャネルを採用してもよく、または複数の移動通信端末毎に割り当てられた上り方向個別制御チャネルを採用してもよい。
所定の制御信号は、移動通信端末における測定により得られたダウンリンクの回線品質を示す下り品質情報としてよい。
【００２１】
基地局は、例えば、移動通信端末から送信された予約要求信号を検出する予約要求信号検出部と、予約要求信号を検出したとき上りトラフィックの送信許可信号を移動通信端末へ送信する送信部と、を備えるように構成することができる。
さらに基地局に、移動通信端末から受信した下り品質情報を記憶する記憶部と、記憶部に記憶された、直近に受信した下り品質情報に応じて、所定の決定方法に従って下りトラフィックの伝送フォーマットを選択する伝送フォーマット選択部と、を設けてもよい。
【００２２】
本発明の他の１つの形態によれば、上記の移動通信システムに用いられる移動通信端末が提供される。
また、本発明の更なる他の１つの形態によれば、上記の移動通信システムに用いられる基地局が提供される。
【００２３】
さらに、本発明の更なる他の１つの形態によれば、移動通信端末から基地局への上りトラフィックの送信に先立って、移動通信端末から基地局へ上りトラフィックを送信するための無線リソースの予約要求信号が送信され、かつ所定の待機状態にある移動通信端末から基地局へ、所定の制御信号が間欠的に送信される通信方法が提供される。この通信方法は、所定の制御信号を送信するために移動通信端末に割り当てられた無線リソースを用いて、移動通信端末から基地局へ予約要求信号を送信する。
【発明の効果】
【００２４】
本発明により、上りトラフィックの送信のために割り当てることができる無線リソースを圧迫することなく、移動通信端末間に生じる予約要求信号同士の衝突を防止できる。
【図面の簡単な説明】
【００２５】
【図１】３ＧＰＰで標準化されている移動通信システムの構成図である。
【図２】従来のランダムアクセス方式による上りトラフィックを送信するための無線リソースの予約方法の説明図である。
【図３】従来の無線リソースの予約方法の問題を説明する図（その１）である。
【図４】従来の無線リソースの予約方法の問題を説明する図（その２）である。
【図５】本発明の実施例による基地局の第１構成例の概略構成図である。
【図６】本発明の実施例による移動通信端末の第１構成例の概略構成図である。
【図７】第３．９世代移動通信方式にて規定されている移動通信端末の状態遷移図である。
【図８】下りパイロット信号及び報知情報のタイムチャートである。
【図９】図６に示す移動通信端末の動作フローチャートである。
【図１０】図５に示す基地局と図６に示す移動通信端末間で行われる無線リソースの予約方法の説明図である。
【図１１】図５に示す基地局の動作フローチャートである。
【図１２】無線リソースの予約方法の他の例を示す説明図である。
【図１３】本発明の実施例による移動通信端末の第２構成例の概略構成図である。
【図１４】図１３に示す移動通信端末の動作フローチャートである。
【図１５】本発明の実施例による基地局の第２構成例の概略構成図である。
【図１６】図１５に示す基地局の動作フローチャートである。
【発明を実施するための形態】
【００２６】
以下、添付する図面を参照して本発明の実施例を説明する。図５は本発明の実施例による基地局の第１構成例の概略構成図であり、図６は本発明の実施例による移動通信端末の第１構成例の概略構成図である。本発明の実施例による移動通信システムは、図１を参照して説明した移動通信システムと同様の構成を有しているため説明を省略する。
本移動通信システムでは、トラフィック発生時に即座にデータ送受信を開始することを可能とし、かつ待機状態における省電力を実現するために、後述するように移動通信端末ＵＥは、所定の待機状態において下り品質情報と上りパイロット信号とを、間欠的に基地局に送信する。
【００２７】
好適には、本移動通信システムは、現在標準化が進められている第３．９世代移動通信方式（３ＧＰＰ  ＬＴＥ）をサポートし、移動通信端末ＵＥは、第３．９世代移動通信方式にて規定されている状態遷移図（図７）に示す各状態Ｓ１〜Ｓ４をとりうる。図７においてＬＴＥ−アクティブ状態は通信状態を示し、これに含まれるＭＡＣアクティブ（ＭＡＣ−Ａｃｔｉｖｅ）状態Ｓ１は連続通信中を示し、ＭＡＣドーマント（ＭＡＣ−Ｄｏｒｍａｎｔ）状態Ｓ２は上記のような制御情報を間欠送受信する状態を示す。またＬＴＥアイドル（ＬＴＥ−Ｉｄｌｅ）状態Ｓ３は、制御情報を送受信しない待ち受け状態を示し、ＬＴＥデタッチド（ＬＴＥ−Ｄｅｔａｃｈｅｄ）状態Ｓ４は、移動通信端末ＵＥの電源がＯＦＦになっている状態を示す。
【００２８】
図５に戻り、基地局ＢＳは、送信用アンテナ１００と、移動通信端末ＵＥに対して下り方向の無線信号を送信するための無線送信部１０１とを備える。この下り方向の無線信号の上では下り個別制御チャネル、下り共通制御チャネル、共通パイロットチャネル、捕捉表示チャネルを介して各種の制御情報が伝送される。
また、下り方向の無線信号の上では下りデータチャネルを介して、音声データやパケットデータなどの下りトラフィックが送信される。
下り個別制御チャネルは、基地局ＢＳから移動通信端末ＵＥに対して制御情報を伝送するために各移動通信端末ＵＥに割り当てられた個別の制御チャネルであり、下り共通制御チャネルは基地局ＢＳから全移動通信端末ＵＥに対して同時に制御情報を伝送する制御チャネルである。
【００２９】
捕捉表示チャネルは、予約要求信号を受信した基地局ＢＳが、予約要求信号を送信した移動通信端末ＵＥに対して、上りトラフィックの送信を許可する送信許可信号を伝送するためのチャネルである。
共通パイロットチャネルは基地局ＢＳから全移動通信端末ＵＥに対して同時に下りパイロット信号を伝送する制御チャネルである。
【００３０】
基地局ＢＳは、これら下り個別制御チャネル及び下り共通制御チャネルをそれぞれ介する信号送信処理を行う下り個別制御チャネル処理部１０２及び下り共通制御チャネル１０３と、共通パイロットチャネルを介して下りリンクパイロット信号を送信する共通パイロットチャネル処理部１０４と、捕捉表示チャネルを介する信号送信処理を行う捕捉表示チャネル処理部１０６を備えている。
また基地局ＢＳは、下りデータチャネルを介する信号送信処理を行う下りデータチャネル処理部１０５を備えている。
【００３１】
また基地局ＢＳは、受信用アンテナ１２０と、移動通信端末ＵＥから上り方向の無線信号を受信するための無線受信部１２１とを備える。この上り方向の無線信号の上では第１及び第２の上り制御チャネルを介して各種の制御情報が伝送され、上りデータチャネルを介して、音声データやパケットデータなどの上りトラフィックが送信される。
第１及び第２の上り制御チャネルは、各移動通信端末ＵＥから個別に制御情報を伝送することができる制御チャネルである。このような制御チャネルは、共通の物理チャネルの資源を、タイムスロットや、周波数、拡散符号を変えて、異なる移動通信端末ＵＥに割り当てる共有制御チャネルとしてよく、または異なる移動通信端末ＵＥにそれぞれ割り当てられた個別制御チャネルとしてもよい。
【００３２】
基地局ＢＳは、これら第１及び第２の上り制御チャネルをそれぞれ介して伝送された制御情報の受信処理を行う第１上り制御チャネル受信部１２４及び第２上り制御チャネル受信部１２５と、上りデータチャネルを介して伝送された上りトラフィックの受信処理を行う上りデータチャネル受信部１２３を備えている。
【００３３】
さらに基地局ＢＳは、移動通信端末ＵＥが下り品質情報又は上りパイロット信号を送信する送信時期を指定する送信時期情報を作成する送信時期情報生成部１０７を備える。送信時期情報生成部１０７は、作成した送信時期情報を下り個別制御チャネル処理部１０２へ出力し、下り個別制御チャネルを介して移動通信端末ＵＥへ送信する。
送信時期情報による、下り品質情報又は上りパイロット信号の送信時期の指定方法については後に例示する。なお、送信時期情報は基地局ＢＳではなく図１に示す上位の無線基地局制御装置２により作成してもよい。この場合には送信時期情報生成部１０７は基地局ＢＳではなく無線基地局制御装置２に設けられる。
【００３４】
図５に戻り、基地局ＢＳは、報知情報を作成する報知情報生成部１０８を備える。報知情報は、共通パイロットチャネル処理部１０４が現在送信している下りパイロット信号が何番目のフレームのパイロット信号であるかを示すフレームナンバーを含んでいる。報知情報生成部１０８は、報知情報を下り共通制御チャネル処理部１０３へ出力し、下り共通制御チャネルを介して移動通信端末ＵＥへ送信する。
さらに基地局ＢＳは、後述するＣＱＩ／予約要求信号検出部１２６が、移動通信端末ＵＥから送信された予約要求信号を検出したときに、移動通信端末ＵＥに対して上りトラフィックの送信を許可する送信許可信号を作成する送信許可信号生成部１０９を備える。送信許可信号生成部１０９は、送信許可信号を捕捉表示チャネル処理部１０６へ出力し、捕捉表示チャネルを介して移動通信端末ＵＥへ送信する。
【００３５】
また基地局ＢＳは、ＣＱＩ／予約要求信号検出部１２６、下りＣＱＩ記憶部１２７及び伝送フォーマット選択部１２８を備える。
ＣＱＩ／予約要求信号検出部１２６は、後述するように移動通信端末ＵＥから第１上り制御チャネルを介して送信され、第１上り制御チャネル受信部１２４にて受信された下り品質情報及び予約要求信号を検出する。
下りＣＱＩ記憶部１２７は、ＣＱＩ／予約要求信号検出部１２６にて検出された最新の下り品質情報を、各移動通信端末ＵＥ毎に記憶する。
伝送フォーマット選択部１２８は、下りＣＱＩ記憶部１２７に記憶された各移動通信端末ＵＥ毎の下り品質情報に従って、それぞれの各移動通信端末ＵＥに下りトラフィックを送信する際の伝送フォーマット、例えば変調方式、誤り訂正方式又は符号化率などを選択し、下りデータチャネル処理部１０５による送信データの信号処理方式を変更して、下りトラフィックの伝送フォーマットを選択したフォーマットに変更する。
【００３６】
一方で、図６に示す移動通信端末ＵＥは、受信用アンテナ２００と、基地局ＢＳからの下り方向の無線信号を受信するための無線受信部２０１と、下り個別制御チャネルを介して伝送される制御情報の受信処理を行う下り個別制御チャネル受信部２０２と、下り共通制御チャネルを介して伝送される制御情報の受信処理を行う下り共通制御チャネル受信部２０３と、共通パイロットチャネルを介して伝送される下りパイロット信号を受信する受信処理を行う共通パイロットチャネル受信部２０４と、捕捉表示チャネルを介して伝送される送信許可信号を受信する受信処理を行う捕捉表示チャネル受信部２０５を備える。
また移動通信端末ＵＥは、送信用アンテナ２１０と、基地局ＢＳに対して上り方向の無線信号を送信するための無線送信部２１１と、上りデータチャネルを介する信号送信処理を行う上りデータチャネル処理部２１２と、第１上り制御チャネルを介する信号送信処理を行う第１上り制御チャネル処理部２１３と、第２上り制御チャネルを介する信号送信処理を行う第２上り制御チャネル処理部２１４を備える。
【００３７】
さらに移動通信端末ＵＥは、ＣＱＩ生成部２２０と、パイロット生成部２２１と、フレーム／スロット番号検出部２２２と、送信時期検出部２２３と、送信時期制御部２２４と、を備えている。
ＣＱＩ生成部２２０は、共通パイロットチャネルのＳＩＲ（信号対干渉電力比）などの前記ダウンリンクの回線品質を示す所定の指標値を測定し、かかる指標値を含む下り品質情報を生成し、後述の信号切替部２３４に出力する。信号切替部２３４を介して第１上り制御チャネル処理部２１３へ入力された下り品質情報は、第１上り制御チャネルを介して基地局ＢＳに送信される。
パイロット生成部２２１は、基地局ＢＳがアップリンクの回線品質を測定するために使用する上りパイロット信号を生成し、第２上り制御チャネル処理部２１４へ出力する。上りパイロット信号は、第２上り制御チャネルを介して基地局ＢＳに送信される。
【００３８】
フレーム／スロット番号検出部２２２は、下り共通制御チャネル受信部２０３で受信した報知情報に含まれる現在の下りパイロットのフレームナンバーを検出する。またフレーム／スロット番号検出部２２２は、共通パイロットチャネル受信部２０４が現在のフレームの下りパイロットを受信し始めた時刻から現在までの経過時間を測定することにより、現在のタイムスロットのスロットナンバーを検出する。
【００３９】
図８は、下りパイロット信号と報知情報のタイムチャートである。共通パイロットチャネルを流れる下りパイロット信号は、既知のビットパターンをフレーム毎に繰り返している。また報知情報には現在送信される下りパイロット信号のフレームナンバーが含まれている。下りパイロット信号のビットパターンは既知であることから、フレーム／スロット番号検出部２２２は、受信中の下りパイロット信号と予め知らされているビットパターンを照合することによりフレームの開始時刻を決定することが可能である。
図示するように１つのフレームは既知の時間幅の所定個数（図の例ではｍ個）のスロットから成り立っている。フレーム／スロット番号検出部２２２は、現在のフレームの開始時刻からの経過時刻を知ることで現在のタイムスロットのスロット番号を決定することができる。
【００４０】
送信時期検出部２２３は、下り個別制御チャネルを介して伝送されかつ下り個別制御チャネル受信部２０２で受信された制御情報の中から、送信時期情報を検出する。
送信時期制御部２２４は、送信時期検出部２２３から送信時期情報を入力し、現在のタイムスロットのフレームナンバー及びスロットナンバーをフレーム／スロット番号検出部２２２から入力する。そして送信時期制御部２２４は、下り品質情報及び上りパイロットのそれぞれについて、送信時期検出部２２３から入力した送信時期情報を基準にして、現在のタイムスロットが信号を送信するべきスロットであるか否かを判定する。
【００４１】
送信時期制御部２２４は、現在のタイムスロットが下り品質情報を送信するべきスロットであると判定する度に、第１上り制御チャネル処理部２１３に下り品質情報の送信を許可する送信許可信号を出力し、現在のタイムスロットが上りパイロットを送信するべきスロットであると判定する度に、第２上り制御チャネル処理部２１４に上りパイロットの送信を許可する送信許可信号を出力する。
【００４２】
送信時期情報は、送信時期制御部２２４が下り品質情報及び上りパイロット信号の送信許可信号をそれぞれ第１及び第２上り制御チャネル処理部２１３及び２１４に出力する時期を決定する際に基準となる情報である。
例えば、下り品質情報を所定のフレーム数ｎに対応する送信周期毎に送信する場合には、下り品質情報が送信されるタイムスロットのフレームナンバーを所定フレーム数ｎで各々除算した剰余及び除数ｎと、下り品質情報が送信されるタイムスロットのスロットナンバーを、送信時期情報にて指定する。
同様に、上りパイロット信号を所定のフレーム数ｎに対応する送信周期毎に送信する場合には、上りパイロット信号が送信されるタイムスロットのフレームナンバーを所定フレーム数ｎで各々除算した剰余及び除数ｎと、上りパイロット信号が送信されるタイムスロットのスロットナンバーを、送信時期情報にて指定する。
【００４３】
そして送信時期制御部２２４は、現在のタイムスロットのフレームナンバーを除数ｎで除算した剰余が、下り品質情報の送信時期について送信時期情報にて指定された剰余と等しくなり、かつ現在のタイムスロットのスロットナンバーが、下り品質情報の送信時期について送信時期情報にて指定されたスロットナンバーと等しくなったとき、第１上り制御チャネル処理部２１３に下り品質情報の送信を許可する送信許可信号を出力する。
【００４４】
また、送信時期制御部２２４は、現在のタイムスロットのフレームナンバーを除数ｎで除算した剰余が、上りパイロット信号の送信時期について送信時期情報にて指定された剰余と等しくなり、かつ現在のタイムスロットのスロットナンバーが、上りパイロット信号の送信時期について送信時期情報にて指定されたスロットナンバーと等しくなったとき、第２上り制御チャネル処理部２１４に上りパイロット信号の送信を許可する送信許可信号を出力する。
【００４５】
このように送信時期情報を定めることによって、送信時期制御部２２４は、下り品質情報の送信時期と上りパイロットとの送信時期とを同期させ、かつこれらの信号を間欠的かつ周期的に送信させることが可能である。移動通信端末ＵＥは、例えば、図７に示すＭＡＣドーマント状態Ｓ２において送信時期制御部２２４を動作させることにより、下り品質情報の送信時期と上りパイロットを間欠的かつ周期的に送信することができる。
【００４６】
さらに移動通信端末ＵＥは、データ用バッファ２３０と、トラフィック検出部２３１と、予約要求信号生成部２３２と、信号切替部２３４を備えている。
データ用バッファ２３０は、上りトラフィック、すなわち上りデータチャネルを介して送信する送信データを記憶する記憶装置である。データ用バッファ２３０は、上りトラフィックが入力されると、入力された上りトラフィックに対して基地局ＢＳが送信許可信号を送信し、捕捉表示チャネル受信部２０５がこの送信許可信号を受信して上りチャネル処理部２１２に対して上りトラフィックの送信を許可し、上りチャネル処理部２１２が上りトラフィックを送信し終えるまで、入力された上りトラフィックを記憶する。
【００４７】
トラフィック検出部２３１は、まだ送信済みでない上りトラフィックがデータ用バッファ２３０にあるか否かを検出し、送信済みでない上りトラフィックが存在するとき、上りトラフィックが存在することを示すトラフィック検出信号を生成する。
予約要求信号生成部２３２は、トラフィック検出部２３１からトラフィック検出信号が出力されたとき、予約要求信号を生成して信号切替部２３４に出力する。
【００４８】
信号切替部２３４は、予約要求信号生成部２３２から予約要求信号を入力し、ＣＱＩ生成部２２０からは下り品質情報を入力し、トラフィック検出部２３１からトラフィック検出信号が出力されていないときは、下り品質情報を第１上り制御チャネル処理部２１３に入力し、トラフィック検出部２３１からトラフィック検出信号が出力されているときは、下り品質情報に代えて、予約要求信号を第１上り制御チャネル処理部２１３に入力する。このため、上りトラフィックが発生していないときの第１上り制御チャネルを伝送する信号が下り品質情報となり、上りトラフィックが発生したときの第１上り制御チャネルを伝送する信号が予約要求信号となる。
【００４９】
なお実際の移動通信端末ＵＥには、基地局ＢＳから送信された下りトラフィックを受信及び処理する構成要素も設けられるが、簡単のため説明を省略する。
【００５０】
図９は、図６に示す移動通信端末ＵＥの動作フローチャートである。
ステップＳ１０において、下り個別制御チャネル受信部２０２は、基地局ＢＳの送信時期情報生成部１０７により生成された下り品質情報及び上りパイロット信号の送信時期を指定する送信時期情報を、下り個別制御チャネルを介して受信する。送信時期検出部２２３は、下り個別制御チャネル受信部２０２が受信した下り個別制御チャネル上の信号から、この移動通信端末ＵＥついて指定された送信時期情報を検出する。
【００５１】
ステップＳ１１にて、共通パイロットチャネル受信部２０４が下りパイロット信号を受信すると、ＣＱＩ生成部２２０は下り品質情報を生成する。共通パイロットチャネル受信部２０４はまた、下りパイロット信号をフレーム／スロット番号検出部２２２にも出力する。
ステップＳ１２にて、下り共通制御チャネル受信２０３は、基地局ＢＳの報知情報生成部１０８により生成された報知情報を下り共通制御チャネルを介して受信する。
【００５２】
そしてステップＳ１３においてフレーム／スロット番号検出部２２２は、現在送信される下りパイロット信号のフレームナンバーを報知情報から検出する。またフレーム／スロット番号検出部２２２は、上述の通り現在のタイムスロットのスロットナンバーを検出する。
【００５３】
ステップＳ１４において送信時期制御部２２４は、ステップＳ１３にてフレームナンバー及びスロットナンバーが検出された現在のタイムスロットが、ステップＳ１０にて検出された送信時期情報が上りパイロット信号について指定する送信時期であるか否かを判定する。
【００５４】
ステップＳ１４にて上りパイロット信号の送信時期であると判定すると、送信時期制御部２２４はステップＳ１５において、第２上り制御チャネル処理部２１４に上りパイロットの送信を許可する送信許可信号を出力する。送信時期制御部２２４が、ステップＳ１４にて上りパイロット信号の送信時期でないと判定すると、処理はステップＳ１６に移る。
【００５５】
ステップＳ１６において、送信時期制御部２２４はステップＳ１３にてフレームナンバー及びスロットナンバーが検出された現在のタイムスロットが、ステップＳ１０にて検出された送信時期情報が下り品質情報について指定する送信時期であるか否かを判定する。
ステップＳ１６にて下り品質情報の送信時期でないと判定すると、処理がステップＳ１１に戻り、下り品質情報の送信時期であると判定すると処理をステップＳ１７に進める。
ステップＳ１７にて、トラフィック検出部２３１は、まだ送信済みでない上りトラフィックがデータ用バッファ２３０に記憶されているか否かを判定する。上りトラフィックがデータ用バッファ２３０内に記憶されていない場合には、信号切替部２３４は下り品質情報を第１上り制御チャネル処理部２１３に入力し、ステップＳ１８にて下り品質情報が第１上り制御チャネルを介して送信される。そして処理をＳ１１に戻す。
【００５６】
以上の動作により、下り品質情報と上りパイロット信号が移動通信端末ＵＥから基地局ＢＳへ送信される様子を図１０の（Ａ）〜図１０の（Ｆ）に示す。図１０の（Ａ）〜図１０の（Ｆ）は、図５に示す基地局ＢＳと図６に示す移動通信端末ＵＥの間で行われる無線リソースの予約方法の説明図である。
図１０は、４台の移動通信端末ＵＥ１〜ＵＥ４が１台の基地局ＢＳに接続されている状態を示しており、図１０の（Ａ）〜図１０の（Ｄ）は、それぞれ移動通信端末ＵＥ１〜ＵＥ４から基地局ＢＳへの送信信号を示すタイムチャートであり、図１０の（Ｅ）は、基地局ＢＳから移動通信端末ＵＥ１への送信信号を示すタイムチャートであり、図１０の（Ｆ）は移動通信端末ＵＥ１〜ＵＥ４からの送信信号を基地局ＢＳで受信した受信信号を示すタイムチャートである。
【００５７】
図１０の（Ａ）〜図１０の（Ｄ）に示す例では、４台の移動通信端末ＵＥ１〜ＵＥ４には、下り品質情報と上りパイロット信号を送信するべきタイムスロットとして、互いに重複しない時間ｔ１１〜ｔ１３、ｔ２１〜ｔ２３、ｔ３１〜ｔ３３及びｔ４１〜ｔ４４が、基地局ＢＳからの送信時期情報によりそれぞれ指定されている。したがって移動通信端末ＵＥ１〜ＵＥ４は、これらの制御情報を、端末間で衝突させることなく基地局ＢＳに送信することができる。すなわち、移動通信端末ＵＥ１〜ＵＥ４には、送信時刻を異ならせてこれら制御信号を送信するため無線リソースが移動通信端末毎に割り当てられている。
４台の移動通信端末ＵＥ１〜ＵＥ４のいずれにも上りトラフィックが発生していない場合には、４台の移動通信端末ＵＥ１〜ＵＥ４は、時間ｔ１２〜ｔ１３、ｔ２２〜ｔ２３、ｔ３２〜ｔ３３及びｔ４２〜ｔ４３において、それぞれが測定した下り品質情報を基地局ＢＳに送信する。
【００５８】
図９に戻り、ステップＳ１７にて、トラフィック検出部２３１が、まだ送信済みでない上りトラフィックがデータ用バッファ２３０に記憶されていると判定すると、ステップＳ１９にて信号切替部２３４は予約要求信号を第１上り制御チャネル処理部２１３に入力し、これにより第１上り制御チャネルを介して予約要求信号が送信される。
図１０の（Ａ）に示す例では、時刻ｔｓにおいて移動通信端末ＵＥ１に上りトラフィックが発生したために、移動通信端末ＵＥ１は、下り品質情報を送信する予定であった時刻ｔ１４〜ｔ１５において予約要求信号を基地局ＢＳに送信している。
【００５９】
図９に戻り、ステップＳ２０において、上りデータチャネル処理部２１２は、基地局ＢＳが送信許可信号を送信し、これを捕捉表示チャネル受信部２０５が受信したか否かを判定する。上りデータチャネル処理部２１２は、捕捉表示チャネル受信部２０５から送信許可信号を受信した旨を示す送信許可検出信号を受信するまで上りトラフィックの送信処理を停止し、捕捉表示チャネル受信部２０５から送信許可検出信号を受信するとステップＳ２１において上りトラフィックを送信する。
図１０の（Ａ）及び（Ｅ）に示す例では、時刻ｔａにおいて基地局ＢＳは移動通信端末ＵＥ１に送信許可信号を送信し、これを受信した移動通信端末ＵＥ１は時刻ｔｔにおいて上りトラフィックを送信している。
【００６０】
図１１は、図５に示す基地局ＢＳの動作フローチャートである。
ステップＳ３０において、第２上り制御チャネル受信部１２５は、移動通信端末ＵＥのパイロット生成部２２１が生成した上りパイロット信号を第２上り制御チャネルを介して受信する。
ステップＳ３１において、第１上り制御チャネル受信部１２４は、移動通信端末ＵＥの第１上り制御チャネル処理部２１３が第２上り制御チャネルを介して送信した信号を受信し、ＣＱＩ／予約要求信号検出部１２６に出力する。
【００６１】
ステップＳ３２においてＣＱＩ／予約要求信号検出部１２６は、ステップＳ３１で第１上り制御チャネル受信部１２４が受信した信号が、移動通信端末ＵＥのＣＱＩ生成部２２０が生成した下り品質情報であるのか、それとも予約要求信号生成部２３２が生成した予約要求信号であるのかを判定することにより、第１上り制御チャネル受信部１２４が受信した信号から下り品質情報及び予約要求信号のいずれかを検出する。予約要求信号生成部２３２は、例えば、下り品質情報及び予約要求信号に設けられたフラグを検出することにより、これらを区別する。
【００６２】
ＣＱＩ／予約要求信号検出部１２６は、検出した信号が下り品質情報であるとき、ステップＳ３３で下り品質情報を下りＣＱＩ記憶部１２７に記憶して、処理をステップＳ３７に移行する。
ＣＱＩ／予約要求信号検出部１２６は、検出した信号が予約要求信号であるとき、処理をステップＳ３４に移行し、予約要求信号を受信した旨を示す予約要求検出信号を送信許可信号生成部１０９に出力する。
送信許可信号生成部１０９は、送信時期情報生成部１０７が生成した送信時期情報と、予約要求検出信号の入力タイミングとに基づいて、予約要求信号を送信した移動通信端末ＵＥがいずれの端末であるかを決定し、この移動通信端末ＵＥに対する送信許可信号を生成する。
そしてステップＳ３５において、送信許可信号生成部１０９は送信許可信号を捕捉表示チャネル処理部１０６に入力し、送信許可信号を移動通信端末ＵＥへ送信する。さらにステップＳ３６において、上りデータチャネル受信部１２３は、移動通信端末ＵＥから送信された上りトラフィックを受信する。
【００６３】
ステップＳ３７では、伝送フォーマット選択部１２８は、現在接続中の移動通信端末毎に下りＣＱＩ記憶部１２７に記憶された、直前に受信した下り品質情報をそれぞれ読み出す。
そしてステップＳ３８において、伝送フォーマット選択部１２８は、ステップＳ３７で取り出した各移動通信端末ＵＥ毎の下り品質情報に応じて、下りトラフィックを送信する際の伝送フォーマットを選択し、下りデータチャネル処理部１０５による送信データの信号処理方式を変更して、下りトラフィックの伝送フォーマットを選択したフォーマットに変更する。
【００６４】
上記の実施例では、上りトラフィックが発生した場合には、移動通信端末ＵＥは下り品質情報を基地局ＢＳに送信することができなくなる。このため下りデータチャネルの伝搬路に変化が生じても伝送フォーマットの変更が遅れて、データの送信効率が低下するおそれが生じる。
このため図１２に示すように、上りトラフィックが発生したとき、下り品質情報を上りトラフィックに含めて送信してもよい。図１２は、下り品質情報の２回分の送信周期における、移動通信端末ＵＥから基地局ＢＳへの送信信号のタイムチャートを示している。
【００６５】
１回目の下り品質情報の送信周期Ｃ１では、移動通信端末ＵＥは、本来の送信時期ｔ１において第１上り制御チャネルを介して下り品質情報を送信しているが、２回目の下り品質情報の送信周期Ｃ２では、時刻ｔ２に発生した上りトラフィックのために、本来、下り品質情報を送信することを予定していた送信時期ｔ３に第１上り制御チャネルを介して予約要求信号を送信している。
このように本来、予定していた送信時期ｔ３に移動通信端末ＵＥが下り品質情報を送信できない場合には、移動通信端末ＵＥは、下り品質情報の次の送信時期ｔ５が到来する前に、本来、送信時期ｔ３に送信する予定であった下り品質情報を上りトラフィックに含め、上りデータチャネルを介して基地局ＢＳに送信する。図１２の例では移動通信端末ＵＥは、下り品質情報を上りトラフィックに含めて時刻ｔ４に送信している。
【００６６】
図１３は、本発明の実施例による移動通信端末の第２構成例の概略構成図である。図１３に示す移動通信端末ＵＥは、上りトラフィックが発生したとき下り品質情報を上りトラフィックに含めるための信号多重部２３５を備える。
信号多重部２３５は、上りトラフィックをデータ用バッファ２３０から入力して、データ用バッファ２３０から入力したデータ列の所定の位置に、データＣＱＩ生成部２２０から出力された下り品質情報を付け加えた後に、上りデータチャネル処理部２１２に出力する。
【００６７】
図１４は、図１３に示す移動通信端末ＵＥの動作フローチャートである。ステップＳ１０からステップＳ２０までの動作は、図９を参照して説明した移動通信端末ＵＥの動作と同様である。
ステップＳ２０において、上りデータチャネル処理部２１２が捕捉表示チャネル受信部２０５から送信許可検出信号を受信すると、上りデータチャネル処理部２１２はデータ用バッファ２３０に記憶された上りトラフィックの送信を開始するが、このとき信号多重部は、ステップＳ２２において、上りデータチャネル処理部２１２により送信される上りトラフィックに、ＣＱＩ生成部２２０から出力された下り品質情報を含める。
ステップＳ２１において上りデータチャネル処理部２１２、下り品質情報を含んだ上りトラフィックを送信する。
【００６８】
図１５は、本発明の実施例による基地局の第２構成例の概略構成図である。本構成の基地局ＢＳは、上りトラフィックに含まれた下り品質情報を上りトラフィックから分割する信号分割部１２９を備えている。
信号分割部１２９は、上りデータチャネル受信部１２３から受信したデータ列の所定の位置に追加された下り品質情報を取り出すことによって、上りトラフィックから下り品質情報を分割する。そして取り出した下り品質情報を伝送フォーマット選択部１２８へ出力する。
【００６９】
図１６は、図１５に示す基地局ＢＳの動作フローチャートである。ステップＳ３０からステップＳ３２までの動作は、図１１を参照して説明した基地局ＢＳの動作と同様である。
ＣＱＩ／予約要求信号検出部１２６は、第１上り制御チャネル受信部１２４が受信した信号から検出された信号が下り品質情報であるとき、ステップＳ４０において、下り品質情報を伝送フォーマット選択部１２８に出力する。伝送フォーマット選択部１２８は、入力した下り品質情報に応じて、下りトラフィックを送信する際の伝送フォーマットを選択し、下りデータチャネル処理部１０５による送信データの信号処理方式を変更する。
【００７０】
第１上り制御チャネル受信部１２４が受信した信号から検出された信号が予約要求信号であるとき、処理をステップＳ３４に移行する。そして、図１１に示すステップＳ３４〜Ｓ３６と同様に、送信許可信号を生成及び送信し、移動通信端末ＵＥから上りトラフィックを受信する。
そしてステップＳ４１において、信号分割部１２９は、受信した上りトラフィックから下り品質情報を分割する。そして取り出した下り品質情報を伝送フォーマット選択部１２８へ出力する。
【００７１】
ステップＳ３７では、伝送フォーマット選択部１２８は、現在接続中の移動通信端末毎に下りＣＱＩ記憶部１２７に記憶された、直前に受信した下り品質情報をそれぞれ読み出す。
そしてステップＳ３８において、伝送フォーマット選択部１２８は、入力した下り品質情報に応じて、下りトラフィックを送信する際の伝送フォーマットを選択し、下りデータチャネル処理部１０５による送信データの信号処理方式を変更する。
【００７２】
以上、本発明を特にその好ましい実施の形態を参照して詳細に説明したが、本発明の容易な理解のために、本発明の具体的な形態を以下に付記する。
【００７３】
（付記１）
基地局への上りトラフィックの送信に先立って前記基地局に対して前記上りトラフィックを送信するための無線リソースの予約要求信号を送信し、かつ所定の待機状態にあるとき所定の制御信号を前記基地局に間欠的に送信する移動通信端末であって、
前記所定の制御信号を送信するために前記移動通信端末に割り当てられた無線リソースを介して信号を送信する送信部と、
上りトラフィックが発生したとき、前記割り当てられた無線リソースを介して送信する信号を、前記所定の制御信号から前記予約要求信号へと切り替える信号切替部と、
を備えることを特徴とする移動通信端末。
【００７４】
（付記２）
前記移動通信端末に割り当てられた前記無線リソースは、複数の移動通信端末に共通の上り方向チャネルの無線リソースを送信時期、周波数及び拡散符号の少なくとも１つを変えて前記複数の移動通信端末に割り当てた上り方向共有制御チャネル、または前記複数の移動通信端末毎に割り当てられた上り方向個別制御チャネルであることを特徴とする付記１に記載の移動通信端末。
【００７５】
（付記３）
前記上りトラフィックが発生したとき、前記所定の制御信号を前記上りトラフィックに含める信号多重部を備えることを特徴とする付記１に記載の移動通信端末。
【００７６】
（付記４）
前記所定の制御信号は、前記移動通信端末における測定により得られたダウンリンクの回線品質を示す下り品質情報であることを特徴とする付記１に記載の移動通信端末。
【００７７】
（付記５）
基地局への上りトラフィックの送信に先立って前記基地局に対して前記上りトラフィックを送信するための無線リソースの予約要求信号を送信し、かつ所定の待機状態にあるとき所定の制御信号を前記基地局に間欠的に送信する移動通信システムであって、
移動通信端末が、前記所定の制御信号を送信するために前記移動通信端末に割り当てられた無線リソースを用いて、前記予約要求信号を送信することを特徴とする移動通信システム。
【００７８】
（付記６）
前記移動通信端末が、
前記所定の制御信号を送信するために前記移動通信端末に割り当てられた無線リソースを介して信号を送信する送信部と、
上りトラフィックが発生したとき、前記割り当てられた無線リソースを介して送信する信号を、前記所定の制御信号から前記予約要求信号へと切り替える信号切替部と、
を備えることを特徴とする付記５に記載の移動通信システム。
【００７９】
（付記７）
前記移動通信端末に割り当てられた前記無線リソースは、複数の移動通信端末に共通の上り方向チャネルの無線リソースを送信時期、周波数及び拡散符号の少なくとも１つを変えて前記複数の移動通信端末に割り当てた上り方向共有制御チャネル、または前記複数の移動通信端末毎に割り当てられた上り方向個別制御チャネルであることを特徴とする付記５に記載の移動通信システム。
【００８０】
（付記８）
前記移動通信端末は、前記上りトラフィックが発生したとき、前記所定の制御信号を前記上りトラフィックに含める信号多重部を備えることを特徴とする付記５に記載の移動通信システム。
【００８１】
（付記９）
前記所定の制御信号は、前記移動通信端末における測定により得られたダウンリンクの回線品質を示す下り品質情報であることを特徴とする付記５に記載の移動通信システム。
【００８２】
（付記１０）
前記基地局は、
前記移動通信端末から送信された前記予約要求信号を検出する予約要求信号検出部と、
前記予約要求信号を検出したとき前記上りトラフィックの送信許可信号を前記移動通信端末へ送信する送信部と、
を備えることを特徴とする付記５又は６に記載の移動通信システム。
【００８３】
（付記１１）
前記基地局は、
前記移動通信端末から受信した前記下り品質情報を記憶する記憶部と、
前記記憶部に記憶された、直近に受信した前記下り品質情報に応じて、所定の決定方法に従って下りトラフィックの伝送フォーマットを選択する伝送フォーマット選択部と、
を備えることを特徴とする付記９に記載の移動通信システム。
【００８４】
（付記１２）
付記５又は６に記載の移動通信システムに用いられる前記基地局であって、
前記移動通信端末から送信された前記予約要求信号を検出する予約要求信号検出部と、
前記予約要求信号を検出したとき前記上りトラフィックの送信許可信号を前記移動通信端末へ送信する送信部と、
を備えることを特徴とする基地局。
【００８５】
（付記１３）
付記９に記載の移動通信システムに用いられる前記基地局であって、
前記移動通信端末から受信した前記下り品質情報を記憶する記憶部と、
前記記憶部に記憶された、直近に受信した前記下り品質情報に応じて、所定の決定方法に従って下りトラフィックの伝送フォーマットを選択する伝送フォーマット選択部と、
を備えることを特徴とする基地局。
【００８６】
（付記１４）
基地局への上りトラフィックの送信に先立って、前記基地局へ前記上りトラフィックを送信するための無線リソースの予約要求信号を送信し、かつ所定の待機状態にあるとき所定の制御信号を前記基地局に間欠的に送信する通信方法であって、
前記制御信号を送信するために割り当てられた無線リソースを用いて、前記基地局へ前記予約要求信号を送信することを特徴とする通信方法。
【００８７】
（付記１５）
上りトラフィックが発生したとき、前記割り当てられた無線リソースを介して送信する信号を、前記所定の制御信号から前記予約要求信号へと切り替えることを特徴とする付記１４に記載の通信方法。
【００８８】
（付記１６）
前記移動通信端末に割り当てられた前記無線リソースは、複数の移動通信端末に共通の上り方向チャネルの無線リソースを送信時期、周波数及び拡散符号の少なくとも１つを変えて前記複数の移動通信端末に割り当てた上り方向共有制御チャネル、または前記複数の移動通信端末毎に割り当てられた上り方向個別制御チャネルであることを特徴とする付記１４に記載の通信方法。
【００８９】
（付記１７）
上りトラフィックが発生したとき、前記所定の制御信号を前記上りトラフィックに含めることを特徴とする付記１４に記載の通信方法。
【００９０】
（付記１８）
前記所定の制御信号は、前記移動通信端末における測定により得られたダウンリンクの回線品質を示す下り品質情報であることを特徴とする付記１４に記載の通信方法。
【００９１】
（付記１９）
前記基地局にて、
前記移動通信端末から受信した前記下り品質情報を記憶し、
直近に受信した前記下り品質情報に応じて、所定の決定方法に従って下りトラフィックの伝送フォーマットを選択する、
ことを特徴とする付記１８に記載の通信方法。
【産業上の利用可能性】
【００９２】
本発明は、上りトラフィックの送信に先立って移動通信端末が基地局に対して上りトラフィックを送信するための無線リソースの予約要求信号を送信するランダムアクセス方式を採用する移動通信システム、並びにこのような移動通信システムに使用される移動通信端末、基地局に広く利用可能である。特に現在、策定を進めている第３．９世代移動通信方式を採用する移動通信端末、移動通信システム及び基地局に好適に利用可能である。
【符号の説明】
【００９３】
１    移動通信システム
２    無線基地局制御装置
Ｎ１    無線アクセスネットワーク
ＢＳ    基地局
ＵＥ    移動通信端末
【図１】
0005533933.tif 000002
【図２】
0005533933.tif 000003
【図３】
0005533933.tif 000004
【図４】
0005533933.tif 000005
【図５】
0005533933.tif 000006
【図６】
0005533933.tif 000007
【図７】
0005533933.tif 000008
【図８】
0005533933.tif 000009
【図９】
0005533933.tif 000010
【図１０】
0005533933.tif 000011
【図１１】
0005533933.tif 000012
【図１２】
0005533933.tif 000013
【図１３】
0005533933.tif 000014
【図１４】
0005533933.tif 000015
【図１５】
0005533933.tif 000016
【図１６】
0005533933.tif 000017